(57)【要約】【課題】本発明の目的は、自動で定期的に監視システムの時刻を正しい時刻に調整することである。【解決手段】記録される映像に付与する時刻を管理する時刻処理部と、電波時計から発せられる時報を受信できるマイクを装備し、マイクで受信した音が登録音データであるかを判定する音判定処理部と、を有し、受信した音が登録音データである場合、時刻処理部で管理された時刻を登録音データが発せられた時刻に調整する撮像装置を有することを特徴とする。【選択図】  図１
2017060017.tif 000002
【特許請求の範囲】
【請求項１】
記録される映像に付与する時刻を管理する時刻処理部と、
電波時計から発せられる時報を受信できるマイクを装備し、前記マイクで受信した音が登録音データであるかを判定する音判定処理部と、を有し、
前記受信した音が前記登録音データである場合、前記時刻処理部で管理された時刻を前記登録音データが発せられた時刻に調整する撮像装置。
【請求項２】
前記登録音データは、任意の時刻における時報である請求項１に記載の撮像装置。
【請求項３】
前記等録音データと、前記任意の時刻における時報の音データとは異なるものである請求項２に記載の撮像装置。
【請求項４】
前記時刻処理部において時刻を調整する場合に、前記時刻処理部で管理されていた時刻が前記時報が発せされた時刻よりも進んでいる場合には、前記時刻処理部において管理される時刻の進みが遅くなるように調整を行う請求項１ないし３のいずれかに記載の撮像装置。
【請求項５】
前記時刻処理部において時刻を調整する場合に、前記時刻処理部で管理されていた時刻が前記時報が発せされた時刻よりも遅れている場合には、前記時刻処理部において管理される時刻の進みの調整を行わない請求項１ないし３のいずれかに記載の撮像装置。
【請求項６】
前記時刻処理部において時刻調整が所定時間行われない場合には、前記電波時計又は前記撮像装置に異常がある旨を監視装置へ通知する請求項１ないし５のいずれかに記載の撮像装置。
【請求項７】
前記撮像装置は、前記時刻処理部において時刻を調整した場合には、前記撮像装置にネットワークを介して接続された他の撮像装置に前記調整した時刻を送信する請求項１ないし６のいずれかに記載の撮像装置。
【請求項８】
時報を発する電波時計と、
記録される映像に付与する時刻を管理する時刻処理部と、電波時計から発せられる時報を受信できるマイクを装備し、前記マイクで受信した音が登録音データであるかを判定する音判定処理部とを有し、前記受信した音が前記登録音データである場合、前記時刻処理部で管理された時刻を前記登録音データが発せられた時刻に調整する撮像装置と、
を有する撮像システム。
【発明の詳細な説明】
【技術分野】
【０００１】
本発明は、撮像装置および撮像システムに関するものである。
【背景技術】
【０００２】
監視分野においては、映像に記録される時刻の正確性が求められる。IPネットワークを使用した監視システムでは、映像の記録にIPカメラやDVR(DigitalVideoRecorder)などが使用され、記録される映像の時刻にはそれらの内部時計の時刻が使用される。内部時計は、RTC(RealTimeClock)デバイスや商用電源周波数を利用して時刻を作成しているが、誤差があるため、長時間運用していると正しい時刻からのずれが大きくなる。このため定期的な時刻合わせが必要となる。
【０００３】
時刻合わせの方法は、手動または自動での設定となる。手動での設定は、装置の初期起動時や台数が少ない場合には可能であるが、多数のIPカメラを使用している場合は作業が煩雑になる。そこで、マスターとなる機器からの信号に同期して時刻に合わせたり、ネットワークから時刻を取得して時刻を合わせたり自動で取得することが考えられる。
【０００４】
特許文献１には、時報音によって自動的に時刻合わせを行う時計が開示されており、「入力手段１１により標準時報音及び時刻を知らせる音声に関する電気信号を入力し、その電気信号から音声認識装置１２で認識した上記の音声情報を時刻合わせ制御装置１３に入力する。これにより、時刻合わせ制御装置１３は前記標準時報音のタイミングで、時刻を知らせる音声の時刻に時計本体１４の時刻を修正する。」と記載されている。
【先行技術文献】
【特許文献】
【０００５】
【特許文献１】特開平５-４５４７８号公報
【発明の概要】
【発明が解決しようとする課題】
【０００６】
特許文献１では、腕時計４０の使用者は日本電信電話株式会社の時報サービス業務の電話番号をダイヤルした後、腕時計４０に設けられている窓ガラス４１を電話機の受話器又はスピーカの前に置く。ゆえに、使用者は、電話局への接続を手動で実施する必要があり、また電話音声を取得するため、受信装置設計し電話機付近に設置する必要があり、時刻合わせに伴い使用者は所定の動作を行う必要がある。
本発明の目的は、自動で定期的に監視システムの時刻を正しい時刻に調整することである。
【課題を解決するための手段】
【０００７】
上記の課題を解決するため、本発明では、例えば、記録される映像に付与する時刻を管理する時刻処理部と、電波時計から発せられる時報を受信できるマイクを装備し、マイクで受信した音が登録音データであるかを判定する音判定処理部と、を有し、受信した音が登録音データである場合、時刻処理部で管理された時刻を登録音データが発せられた時刻に調整する撮像装置を有することを特徴とする。
【発明の効果】
【０００８】
本発明によれば、自動で定期的に監視システムの時刻を正しい時刻に調整することができる。
【図面の簡単な説明】
【０００９】
【図１】本発明の監視システムの構成を説明した図である。
【図２】電波時計１００の設定項目である。
【図３】マスターIPカメラの設定項目である。
【図４】IPカメラ１０１のブロック図である。
【図５】IPカメラの時刻調整処理のフローチャートを示す。
【発明を実施するための形態】
【００１０】
以下、実施例を図面を用いて説明する。
【００１１】
図１は、本発明の監視システムの構成を説明した図である。
【００１２】
本監視システムは、複数のIPカメラ１０１および１０２と、IPカメラが設けられているエリアに備えられた電波時計１００と、IPカメラ１０１および１０２の監視装置１０３で構成される。IPカメラ１０１および１０２と監視装置１０３とはHUB１０４を介してIPネットワークで接続される。なお、IPカメラは、１つ以上であればよく、数は問わない。電波時計１００は通常の電波時計と同じであり、送信局１０５からの電波の受けやすい窓際などで使用する。
【００１３】
次に、監視システムを構成する各装置について説明する。
【００１４】
電波時計１００は、標準電波の送信局１０５から送信される時刻情報を受信し、自身の時計を送信局１０５からの受信した時刻に修正する。受信の頻度は任意であるが１日１回程度とし、受信に成功した場合、次の受信までの２４時間は自身の時計時刻が正しい状態であると判断して時計を稼働させることができる。
【００１５】
図２は、電波時計１００の設定項目である。
【００１６】
本電波時計１００の設定項目は、調整時刻、時報調整、時報である。
【００１７】
調整時刻は、電波時計１００の時刻を合わせたい時刻であり、電波時計１００が送信局１０５から時刻情報を受信出来た場合にはアラーム音１を発生する。図２の例では、設定を「ON」にし、その設定時刻を「１時０分」としており、電波時計１００を１時０分に時刻を合わせることになる。
【００１８】
時報調整は、電波時計１００が正しい時刻であると判断した場合、すなわち送信局１０５から時刻情報を受信し、自身の時刻を修正した場合、時報の音としてアラーム音２を発生する設定である。これにより調整時刻で受信に成功した場合、「１時０分」以外の時報音は24時間アラーム音２で発生する。この設定を使用する場合は、カメラ側も時報調整をONにして使用する。
【００１９】
時報は、通常時の時報音のON/OFFを設定する。このように、時刻合わせのタイミングを時報と合わせることにより、電波時計１００やIPカメラ１０１、１０２の周辺にいる人に違和感を与えることなく、時刻調整を行うことが可能となる。
【００２０】
送信局から時刻を受信できなかった場合は自身の時刻は設定せず、全ての時報音はアラーム音３で発生する。
【００２１】
IPカメラは、マスターIPカメラとスレーブIPカメラの2種類があり、マスターIPカメラはアラーム音を受信するIPカメラで、通常監視システムのなかで1台設定し、その他のIPカメラはスレーブとなり、マスターIPカメラの時刻を取得して時刻設定をする。図１では、IPカメラ１０１がマスターIPカメラで、IPカメラ１０２がスレーブIPカメラとする。
【００２２】
マスターIPカメラであるIPカメラ１０１は、電波時計１００のアラーム音を受信できるマイク付きのIPカメラを使用する。IPカメラには2種類の音情報を登録でき、アラーム音１（調整時刻音）とアラーム音２（時報調整音）の音情報を登録することがでる。また、音判定回路でアラーム音の周波数等を確認することで、アラーム音１とアラーム音２とそれ以外の音を判別できるものとする。
【００２３】
図３は、マスターIPカメラの設定項目である。
【００２４】
マスターIPカメラの設定項目には、調整時刻、調整時間、時報調整がある。
【００２５】
調整時刻は、電波時計１００に基づいてIPカメラの時刻合わせを行う時間であり、図３の例では、設定を「ON」にし、その設定時刻を「１時０分」としている。
【００２６】
調整時間は、時刻合わせをするためアラーム音を判定する期間であり、調整時刻を含む範囲の時間である。図３の例では０時３０分から１時３０分の時間帯が設定されている。調整時間中にアラーム音１を判定した場合、調整時刻に時刻を合わせる。調整時刻は、通常は電波時計１００とIPカメラ１０１で同一の時刻を設定する。
【００２７】
また、時報調整も設定することが出来る。図３の例では設定を「ON」にし、例えば、0時、1時、2時、・・・、23時のように1時間毎の前後数分間のみ時報を検知できるようにし、自身の時計の進みを微調整するために使用する。時報調整を使用する場合は、電波時計１００で時報調整をONにして電波時計１００の時刻が正しいかそうでないかを時報音を使用して判定できるようにする。
【００２８】
図１に戻り、監視装置１０３は、IPカメラからの供給された映像信号をデジタルデータとして内蔵あるは外付けした記録装置に記録する。また、IPカメラの映像やアラームがあったなどの各種状態を確認することができる。
【００２９】
図４は、IPカメラ１０１のブロック図である。
【００３０】
IPカメラ１０１は、ネットワークを介して監視機器１０３に接続されている。
【００３１】
IPカメラ１０１は、撮像を行なう撮像部４０１、マイク入力部４０２、メモリ管理部４０３、時刻処理部４０４、ネットワーク通信部４０５およびこれらの制御する制御部４１０で構成される。
【００３２】
メモリ管理部４０３には、音データ情報として後述する比較用の音データを格納する。
【００３３】
制御部４１０は、IPカメラ１０１全体の制御を司り、画像／音声処理部４１２、カメラ制御部４１１、データ送受信処理部４１３および音判定処理部４１４を備える。撮像部４０１は、レンズ等を備え監視箇所の映像を取り込む。
【００３４】
カメラ制御部４１１は、撮像部４０１で得られた映像から、明るさ等を判定して、必要であればアイリスやシャッター速度を手動または自動で制御して監視に適した映像になるように調整する。
【００３５】
また、撮像部４０１で得られた映像は、画像／音声処理部４１２でエンコードしてデジタルデータへ変換する。変換された画像／音声データは、データ送受信処理部４１３で、ネットワーク上の指定IPアドレスへ送信できるようにIPデータへ変換され、ネットワーク通信部４０５へ送られ外部へ送信される。
【００３６】
マイク入力部４０２で受信した音は、画像/音声処理部４１２でエンコードされるとともに、音判定処理部４１４にも送信し、メモリ管理部４０３に登録されているアラーム音データ情報との比較を行なう。なお、音判定処理部４１４では、登録音声データに対応する周波数成分を増幅するようにして比較を実施し、ノイズに強くすることで判定精度を上げることができる。
【００３７】
比較の結果、調整時刻音である場合は、時刻処理部４０４で管理している時刻を、調整時刻に変更する。
【００３８】
図５は、IPカメラの時刻調整処理のフローチャートを示す。
【００３９】
まず、音判定処理部４１４では、現時点がIPカメラ１０１で設定された調整時間であるかをチェックする（S501）。
【００４０】
S501において調整時間でないとの判断になった場合には（S501のNO）、調整済み後の時報時刻かを判断する（S502）。調整済み後の時報時刻出ない場合（S502のNO）、長期間時刻合わせがなされていないかどうかを確認する（S503）。長期間時刻合わせがなされていない場合は（S503でYES）、調整時刻がONにもかかわらず、指定日数の間一度も電波時計からのアラーム音がない場合は、システムに異常があったと判断し、異常通知処理で、監視機器１０３に異常通知を行なう（S504）。
【００４１】
S502に戻り、調整済み後の時報時間であると判定した場合には（S502のYES）、音判定処理部４１４にマイク入力部４０２で取り込んだ音声データがアラーム音２と一致するかをチェックする（S507）。登録アラーム音と違う場合は（S507のNO）、再度ループに戻る。登録アラーム音と一致する場合は（S507のYES）、時報調整処理を実施する（S508）。時報調整処理（S508）では、一定間隔（通常1時間）毎の時報音と、IPカメラ内部の時間を比較し、IPカメラ内部の時刻が時報音に比べ一定以上進んでいる場合は、内部の時計の進みが遅くなるように時刻処理部４０４で調整を実施する。この場合、一挙に遅くするのではなく徐々に遅くなるように調整する。反対に時報音に比べて遅れている場合は、特に調整しなくてもよいこととする。これは、時間が進む場合は、時刻を戻すために記録画像に同じ時刻が発生するので、時刻の矛盾が発生しないように記録の時刻が重ならないようにする処理が必要となるためで、遅れている場合は、同じ時刻は発生しないことによる。
【００４２】
S501に戻り、S501で調整時間と判定した場合は（S501のYES）、音判定処理部４１４にマイク入力部４０２で取り込んだ音声データがアラーム音１と一致するかをチェックする（S505）。登録音データと違う場合は再度ループに戻り（S505のNO）、登録データと一致する場合は（S505のYES）、時刻調整処理を実施する（S506）。時刻調整処理では、調整時刻で設定された時間に自身の時計を変更する。ただし、判定までの時間を考慮して時刻を設定する。
【００４３】
なお、時刻調整処理（S506）が所定時間行われなかった場合は、電波時計またはIPカメラの時刻に異常があることが考えられるため監視装置１０３へ異常を通知する。異常通知を受けた監視装置１０３は、モニタ画面等にその旨を表示する。
【００４４】
なお、実施例ではマスターIPカメラの時刻を設定して、その時間を監視システムの時刻としたが、マスターIPカメラが取得した時刻を監視機器１０３へ転送し、監視機器１０３の時刻をマスターとして、他のIPカメラがそこから時刻を取得するような動作とすることも可能である。
【００４５】
また、IPカメラで時刻の調整を実施したが、監視装置にマイクを接続して時刻調整をするシステムとしてもよい。また、人が聞き取れる可聴領域意外の周波数の音をアラーム音として使用してもよい。
【００４６】
時刻合わせ時刻に正確に音を発生する音源と、それを受信することのできる監視用IPカメラがあれば、インターネット等の外部のネットワークのアクセスなしに、正しい時刻の取得が可能である。また、定期的に時報音を受信することで、時刻の進みを調整することも可能である。さらに音源と監視システムは有線での接続が必要ないことから、設置の自由度もある。また、時刻合わせや調整のタイミングを時報音と同期することにより、本システムを知らない人がこのアラーム音を聞いても、時報音である以外の認識をあたえることがないので、不明なアラーム音により不安をあたえることもなく通常の時計として使用できる。
【符号の説明】
【００４７】
１００  電波時計
１０１  マスターIPカメラ
１０２  スレーブIPカメラ
１０３  監視装置
１０４  HUB
４０１  撮像部
４０２  マイク入力部
４０３  メモリ管理部
４０４  時刻処理部
４０５  ネットワーク通信部
４１０  制御部
４１１  カメラ制御部
４１２  画像／音声処理部
４１３  データ送受信処理部
４１４  音判定処理部
【図１】
2017060017.tif 000003
【図２】
2017060017.tif 000004
【図３】
2017060017.tif 000005
【図４】
2017060017.tif 000006
【図５】
2017060017.tif 000007